(57)【要約】【課題】本発明は、所定位置に折曲部が形成された吸収体を備えることで、装着対象の形状に沿って変形可能な吸収性物品を提供することを目的とする。【解決手段】本発明の吸収性物品としての生理用ナプキン１は、液透過性の表面シート２と、液不透過性の裏面シート３と、表面シート２と裏面シート３との間に配置され所定位置に折曲部が形成された吸収体４とを備える。そして、生理用ナプキン１は、装着状態において身体の形状に沿うように変形する。【選択図】図１
2008229214.tif 000002
【特許請求の範囲】
【請求項１】
幅方向と前記幅方向に直交する長手方向とを有すると共に、前記長手方向における前端部と後端部とを有し、
少なくとも一部が液体透過性の表面シートと、液不透過性の裏面シートと、前記表面シートと前記裏面シートとの間に前記長手方向に沿うように配置される縦長状の吸収体と、を備える吸収性物品であって、
前記吸収体は、該吸収体における平均曲げ剛性よりも曲げ剛性が低く、かつ、隣接する領域よりも曲げ剛性が低い折曲部を有し、
前記折曲部は、
前記前端部側から前記長手方向中央に向かうに従い前記幅方向中央側から前記幅方向外側に延びるように形成される前折曲部と、
前記前折曲部よりも前記後端部側に形成され、前記後端部側から前記長手方向中央側に向かうに従い前記幅方向中央側から前記幅方向外側に延びるように形成される後折曲部と、
前記後折曲部と前記後端部との間に形成され前記後端部側から前記長手方向中央側に向かう従い前記幅方向外側から前記幅方向中央側に延びるように形成される第１折曲部と、を有する吸収性物品。
【請求項２】
前記吸収体は、
前記後折曲部と前記第１折曲部との間に形成されると共に、装着時において前記表面シート側に隆起可能な第１領域を有する請求項１に記載の吸収性物品。
【請求項３】
前記折曲部は、前記第１領域に形成される第２折曲部を更に有する請求項１又は２に記載の吸収性物品。
【請求項４】
前記吸収体は、
前記前折曲部と前記後折曲部との間に形成されると共に、非装着状態において前記表面シート側に隆起している第２領域を有する請求項１から３のいずれかに記載の吸収性物品。
【請求項５】
前記折曲部は、前記第１折曲部と前記後端部との間に前記吸収体を前記幅方向に等分する第１中心線の両側に形成されると共に、前記長手方向に延びるように形成される前記第３折曲部を更に有する請求項１から４のいずれかに記載の吸収性物品。
【請求項６】
前記折曲部は、前記第１中心線に対して略対称になるよう形成される請求項１から５のいずれかに記載の吸収性物品。
【請求項７】
前記折曲部は、該吸収性物品が該吸収性物品における装着対象の形状に沿って変形可能となるよう形成される請求項１から６のいずれかに記載の吸収性物品。
【請求項８】
前記折曲部における表面積の総和は、該吸収体の表面積に対して５％以上である請求項１から７のいずれかに記載の吸収性物品。
【請求項９】
前記吸収体は、パルプ及び／又は高分子吸収体を液透過性のシートで被覆して構成され、
前記折曲部は、前記パルプ及び／又は前記高分子吸収体の目付が、該吸収体における前記パルプ及び／又は前記高分子吸収体の平均目付より低く、かつ、隣接する領域における前記パルプ及び／又は前記高分子吸収体の目付よりも低い請求項１から８のいずれかに記載の吸収性物品。
【請求項１０】
該吸収性物品は、前記表面シートを内側にして１又は複数の折り畳み部で折れ曲がるようにして折り畳み可能であり、
前記前折曲部及び／又は後折曲部は、前記折り畳み部と交差するように形成されると共に、該折り畳み部の一部を構成する請求項１から９のいずれかに記載の吸収性物品。
【発明の詳細な説明】
【技術分野】
【０００１】
本発明は、吸収性物品に関する。
【背景技術】
【０００２】
従来、生理用ナプキン等の吸収性物品は、経血等の排泄物の漏れを抑制するため、身体の形状に沿うように変形するよう種々工夫がなされてきた。
【０００３】
例えば、吸収性物品の長手方向中央部から装着時に装着者の後ろ側に配置される後方部にかけて、肌当接面に、該後方部の端縁に近づくに従い該後方部の側縁に近接する立体溝が形成された吸収性物品が提案されている。この立体溝は、後方部の端縁及び側縁から離間して配置されており、長手方向中央部において前方へ向けて凸状（突出した形状）の凸状部を備えている（例えば、特許文献１参照）。
【特許文献１】特許第３５６６０１２号公報
【発明の開示】
【発明が解決しようとする課題】
【０００４】
特許文献１により開示された吸収性物品は、該吸収性物品における中央部において、立体溝は前方に向かって凸状（突出した形状）の凸状部を形成する。そして、立体溝をエンボス加工により形成することで周辺よりも密度を高めると共に厚みを薄くすることで、立体溝を折曲軸として変形しやすくなるよう構成された吸収性物品が開示されている。しかし、エンボス加工により形成された立体溝は、その密度が高くなると共に剛性が極めて高くなるので、吸収性物品を折り曲げるためには強い荷重を加えること必要である。これにより、例えば、緊迫力の弱い普段用のショーツを着用した場合には、吸収性物品が身体の形状に沿うように変形しないため、異物感を感じたり、隙間が生じることによる経血等の漏れが発生する場合がある。
【０００５】
本発明は、所定位置に折曲部が形成された吸収体を備えることで、装着対象の形状に沿って変形可能な吸収性物品を提供することを目的とする。
【課題を解決するための手段】
【０００６】
（１）  幅方向と前記幅方向に直交する長手方向とを有すると共に、前記長手方向における前端部と後端部とを有し、少なくとも一部が液体透過性の表面シートと、液不透過性の裏面シートと、前記表面シートと前記裏面シートとの間に前記長手方向に沿うように配置される縦長状の吸収体と、を備える吸収性物品であって、前記吸収体は、該吸収体における平均曲げ剛性よりも曲げ剛性が低く、かつ、隣接する領域よりも曲げ剛性が低い折曲部を有し、前記折曲部は、前記前端部側から前記長手方向中央に向かうに従い前記幅方向中央側から前記幅方向外側に延びるように形成される前折曲部と、前記前折曲部よりも前記後端部側に形成され、前記後端部側から前記長手方向中央側に向かうに従い前記幅方向中央側から前記幅方向外側に延びるように形成される後折曲部と、前記後折曲部と前記後端部との間に形成され前記後端部側から前記長手方向中央側に向かう従い前記幅方向外側から前記幅方向中央側に延びるように形成される第１折曲部と、を有する吸収性物品。
【０００７】
（２）  前記吸収体は、前記後折曲部と前記第１折曲部との間に形成されると共に、装着時において前記表面シート側に隆起可能な第１領域を有する（１）に記載の吸収性物品。
【０００８】
（３）  前記折曲部は、前記第１領域に形成される第２折曲部を更に有する（１）又は（２）に記載の吸収性物品。
【０００９】
（４）  前記吸収体は、前記前折曲部と前記後折曲部との間に形成されると共に、非装着状態において前記表面シート側に隆起している第２領域を有する（１）から（３）のいずれかに記載の吸収性物品。
【００１０】
（５）  前記折曲部は、前記第１折曲部と前記後端部との間に前記吸収体を前記幅方向に等分する第１中心線の両側に形成されると共に、前記長手方向に延びるように形成される前記第３折曲部を更に有する（１）から（４）のいずれかに記載の吸収性物品。
【００１１】
（６）  前記折曲部は、前記第１中心線に対して略対称になるよう形成される（１）から（５）のいずれかに記載の吸収性物品。
【００１２】
（７）  前記折曲部は、該吸収性物品が該吸収性物品の装着対象における形状に沿って変形可能となるよう形成される（１）から（６）のいずれかに記載の吸収性物品。
【００１３】
（８）  前記折曲部における表面積の総和は、該吸収体の表面積に対して５％以上である（１）から（７）のいずれかに記載の吸収性物品。
【００１４】
（９）  前記吸収体は、パルプ及び／又は高分子吸収体を液透過性のシートで被覆して構成され、前記折曲部は、前記パルプ及び／又は前記高分子吸収体の目付が、該吸収体における前記パルプ及び／又は前記高分子吸収体の平均目付より低く、かつ、隣接する領域における前記パルプ及び／又は前記高分子吸収体の目付よりも低い（１）から（８）のいずれかに記載の吸収性物品。
【００１５】
（１０）  該吸収性物品は、前記表面シートを内側にして１又は複数の折り畳み部で折れ曲がるようにして折り畳み可能であり、前記前折曲部及び／又は後折曲部は、前記折り畳み部と交差するように形成されると共に、該折り畳み部の一部を構成する（１）から（９）のいずれかに記載の吸収性物品。
【発明の効果】
【００１６】
本発明は、所定位置に折曲部が形成された吸収体を備えることで、装着対象の形状に沿って変形可能な吸収性物品を提供することを目的とする。
【発明を実施するための最良の形態】
【００１７】
以下、図面を参照して本発明を実施するための最良の形態を説明する。
【００１８】
図１は、本発明の実施形態における生理用ナプキン１の平面図を示す。図２は、生理用ナプキン１の部分断面図を示す。図３は、生理用ナプキン１を構成する吸収体４の平面図を示す。図４（Ａ）及び図４（Ｂ）は、吸収体４における断面図を示す。図５は、生理用ナプキン１が装着された状態における吸収体４の変形状態を説明する斜視図を示す。図６は、吸収体４を製造する製造装置を説明する図を示す。図７は、製造装置を構成するメッシュ状の容器２００における構造を説明する斜視図を示す。
【００１９】
図１から図７により、本発明における吸収性物品としての生理用ナプキン１について説明する。
【００２０】
［１］全体構成
図１又は図２に示すように、本実施形態における生理用ナプキン１は、少なくとも一部が液体透過性の表面シート２と、液不透過性の裏面シート３と、表面シート２と裏面シート３との間に長手方向に沿うように配置される縦長状の吸収体４と、を備える。生理用ナプキン１は、扁平で縦長状の形状である。
【００２１】
生理用ナプキン１の一方の面（図１の上面）から見た形状は、瓢箪の形状をベースとして、長手方向Ｙの前方Ｆ側であって幅方向Ｘの両外縁にウィングが形成されている。ここで、本実施形態において、生理用ナプキン１は上述の形状であるが、女性の身体及びショーツの形状に適合する形状であれば特に限定されず、例えば、長方形、楕円型等の形状であってもよい。
【００２２】
生理用ナプキン１の寸法は、長手方向Ｙの長さが１００から５００ｍｍであり、好ましくは１５０から３５０ｍｍである。また、生理用ナプキン１の幅方向Ｘ（短手方向）の長さは３０から２００ｍｍであり、好ましくは４０から１８０ｍｍである。ここで、表面シート２及び裏面シート３については、後に詳述する。また、吸収体４については、以下に詳述する。
【００２３】
［２］吸収体
図１から図７により、生理用ナプキン１における吸収体４について説明する。
図１又は図３に示すように、吸収体４は、コア部４ｂと、コア部４ｂを被覆する被覆シート４ａにより構成される。また、吸収体４の形状は、略扁平であると共に縦長状である。
【００２４】
［２．１］折曲部
吸収体４は、折曲部を有する。この折曲部は、前折曲部１０、１０と、後折曲部１１、１１と、第１折曲部１２、１２と、第２折曲部１３と、第３折曲部１４、１４と、第４折曲部１５、１５とにより構成される。この折曲部を構成する前折曲部１０、１０、後折曲部１１、１１、第１折曲部１２、１２、第２折曲部１３、第３折曲部１４、１４、第４折曲部１５、１５それぞれは、吸収体４における平均曲げ剛性よりも曲げ剛性が低く、かつ、隣接する領域よりも曲げ剛性が低い領域である。また、この折曲部を構成する前折曲部１０、１０、後折曲部１１、１１、第１折曲部１２、１２、第２折曲部１３、第３折曲部１４、１４、第４折曲部１５、１５それぞれは、吸収体４における平均目付けよりも低く、かつ、隣接する領域の目付けよりも低くなるよう形成される。例えば、各折曲部の目付は、隣接する領域の目付に対して８０％以下が好ましく、更には０から８０％が好ましく、特には５から３０％が好ましい。具体的には、図２に示すように、折曲部は、折曲部に相当する位置にコア部４ｂを構成する吸収材料が実質的に配置されない領域である。
【００２５】
また、この折曲部を構成する前折曲部１０、１０、後折曲部１１、１１、第１折曲部１２、１２、第２折曲部１３、第３折曲部１４、１４、第４折曲部１５、１５それぞれは、該吸収体４を幅方向Ｘにおいて等分する第１中心線ＣＬ１に対して線対称となるよう形成される。
【００２６】
ここで、折曲部それぞれにおける長さ（長手寸法）及び幅（短手寸法）は、例えば、長さが５から５０ｍｍが好ましく、１０から３０ｍｍが更に好ましく、幅が１から１０ｍｍが好ましく、２から５ｍｍが更に好ましい。また、折曲部それぞれの平面形状は、平面方向における断面が長方形であり、平面方向に垂直な方向における断面がテーパーのある台形である。ここで、本実施形態において、折曲部の形状は上述の通りであるが、これに限定されず、例えば、平面方向における断面が、円、楕円、正方形や三角形であってもよい。
【００２７】
また、折曲部の表面積（表面シート２側の面における表面積）は、５ｍｍ２以上であり、好ましくは５から５００ｍｍ２であり、更に好ましくは５０から２００ｍｍ２である。折曲部の総表面積率は、吸収体４の表面積に対して５％以上であり、好ましくは５から５０％であり、更に好ましくは１０から４０％である。折曲部それぞれを上述した寸法等にすることで、装着対象の形状に関係ない変形による型崩れ等を抑制しながら装着対象の形状に沿うように変形させることができる。
【００２８】
前折曲部１０、１０それぞれは、第１中心線ＣＬ１の幅方向Ｘにおける両側に形成されると共に、第１中心線ＣＬ１に対して線対称になるよう形成される。この前折曲部１０、１０それぞれは、吸収体４における前端部４０Ｆ側から長手方向Ｙにおける中央側に向かうに従い、幅方向Ｘにおける中央側から幅方向Ｘの外側に延びるように形成される。
【００２９】
後折曲部１１、１１は、前折曲部１０、１０よりも吸収体４における後端部４０Ｒ側に形成される。また、後折曲部１１、１１それぞれは、第１中心線ＣＬ１の幅方向Ｘにおける両側に形成されると共に、第１中心線ＣＬ１に対して線対称になるよう形成される。そして、後折曲部１１、１１は、後端部４０Ｒ側から長手方向Ｙにおける中央側に向かうに従い、幅方向Ｘにおける中央側から幅方向Ｘの外側に延びるように形成される。
【００３０】
第１折曲部１２、１２それぞれは、第１中心線ＣＬ１の幅方向Ｘにおける両側に形成されると共に、第１中心線ＣＬ１に対して線対称になるよう形成される。第１折曲部１２、１２は、後折曲部１１、１１と後端部４０Ｒとの間に形成され、後端部４０Ｒ側から長手方向Ｙにおける中央側に向かう従い、幅方向Ｘにおける外側から幅方向Ｘの中央側に延びるように形成される。
【００３１】
第２折曲部１３は、長手方向Ｙにおいて前折曲部１０、１１と第１折曲部１２、１２との間に形成されると共に、第１中心線ＣＬ１に略垂直に交差するように形成される。言い換えると、第２折曲部１３は、後述する第１領域２１に形成されると共に、吸収体４の幅方向Ｘにおける略中央に、幅方向Ｘの両外縁側へ延びるよう形成される。
【００３２】
第３折曲部１４、１４それぞれは、第１折曲部１２、１２と後端部４０Ｒとの間に形成される。また、第３折曲部１４、１４それぞれは、第１中心線ＣＬ１の両側に形成されると共に、長手方向Ｙに延びるように形成される。
【００３３】
［２．２］第１領域及び第２領域
吸収体４は、長手方向Ｙにおける後端部４０Ｒ側に形成される第１領域２１と、長手方向Ｙにおける中央部に形成される第２領域２０とを有する。
【００３４】
第１領域２１は、長手方向Ｙにおいて、後折曲部１１、１１と第１折曲部１２、１２との間に形成される。また、上述のように、第１領域２１には、第２折曲部１３が第１中心線ＣＬ１と交差して幅方向Ｘに延びるように形成される。
【００３５】
第１領域２１は、生理用ナプキン１が非装着状態（平面状態）において、該第１領域２１における表面が略平面となるよう形成される。そして、第１領域２１は、生理用ナプキン１が装着状態（変形状態）において、表面シート２側（図３における上面側）に隆起するよう変形する。
【００３６】
第２領域２０は、吸収体４における長手方向Ｙの中央部に形成される。具体的には、第２領域２０は、吸収体４における前折曲部１０、１０と後折曲部１１、１１との間に形成される。
【００３７】
図３、図４（ａ）及び図４（ｂ）に示すように、第２領域２０は、傾斜部２０ａと突出部２０ｂとを有する。
【００３８】
傾斜部２０ａは、平面部２０ｃから表面シート２側に所定角度で立ち上がる部分である。具体的には、傾斜部２０ａは、幅方向Ｘの外側から中央側に向かうに従って表面シート２側に突出するように傾斜すると共に、長手方向Ｙの外側から中央側に向かうに従って表面シート２側に突出するように傾斜する。
【００３９】
そして、突出部２０ｂは、傾斜部２０ａに周囲を囲まれる位置に形成される。突出部２０ｂは、平面部２０ｃよりも表面シート２側に突出して形成された部分であり、上面は略平面状に形成される。
【００４０】
ここで、図４（ａ）及び図４（ｂ）に示すように、第２領域２０は、生理用ナプキン１が非装着状態（平面状態）において、表面シート２側（図３における上面側）に隆起（突出）している。また、第２領域２０は、生理用ナプキン１が装着状態（変形状態）において、非装着時よりも表面シート２側に更に突出するように隆起する（図５参照）。
【００４１】
［２．３］折り畳み部
生理用ナプキン１は、表面シート２を内側にして折り畳み可能に構成される。具体的には、吸収体４は、表面シート２を内側にして、折り畳み部Ｔ１と、折り畳み部Ｔ２とで折れ曲がるようにして変形される。この折り畳み部Ｔ１と交差するように前折曲部１０、１０が形成される。また、折り畳み部Ｔ２と交差するように後折曲部１１、１１が形成される。ここで、前折曲部１０、１０及び後折曲部１１、１１は、吸収体４における平均曲げ剛性よりも低く、かつ、隣接する領域よりも低くなるよう形成される。また、前折曲部１０、１０及び後折曲部１１、１１は、該前折曲部１０、１０及び後折曲部１１、１１における目付が、吸収体４における平均目付けよりも低く、かつ、隣接する領域の目付けよりも低くなるよう形成される。
【００４２】
このように、前折曲部１０、１０が折り畳み部Ｔ１に交差するように形成され、該折り畳み部Ｔ１の一部を構成することで、生理用ナプキン１は折り畳みやすくなる。また、折り畳まれていた生理用ナプキン１を扁平状に開く場合において、吸収体４に含まれる後述のセルロース系繊維等による折曲維持性を低くすることができ容易に扁平状に開かせることができる。
【００４３】
同様に、後折曲部１１、１１が折り畳み部Ｔ２に交差するように形成され、該折り畳み部Ｔ２の一部を構成することで、生理用ナプキン１は折り畳みやすくなる。また、折り畳まれていた生理用ナプキン１を扁平状に開く場合において、吸収体４に含まれる後述のセルロース系繊維等による折曲維持性を低くすることができ容易に扁平状に開かせることができる。
【００４４】
［２．４］コア部及び被覆シート
【００４５】
吸収体４は、コア部４ｂを被覆シート４ａにより被覆して形成される。コア部４ｂは、パルプを８０から１００質量％、粒子状ポリマーを２０から０質量％含む。このコア部４ｂは、被覆シート４ａとしてのティッシュで被覆されると共に、エンボス加工により目付１００から２０００ｇ／ｍ２、嵩高が１から５０ｍｍに調整される。ここで、エンボス加工は吸収体４の型崩れを防止するためになされる。吸収体４におけるエンボス加工された領域の面積率は１０から１００％が好ましく、３０から８０％が更に好ましい。
【００４６】
ここで、コア部４ｂを構成する吸収材料として、上述のパルプを含む親水性繊維を例示できる。親水性繊維として、パルプ、コットン等のセルロース、レーヨン、フィブリルレーヨン等の再生セルロース、アセテート、トリアセテート等の半合成セルロース、粒子状ポリマー、繊維状ポリマー等の高分子吸収体、熱可塑性疎水性化学繊維、又は親水化処理を施した熱可塑性疎水性化学繊維等を単独又は混合したものを例示できる。また、コア部４ｂには、セルロース発泡体、合成樹脂の連続発泡体等を配合することができる。また、吸収材料として、発泡体又はシート化した親水性繊維集合体を粉砕した後に成形したものを用いることも可能である。
【００４７】
また、被覆シート４ａは、液透過性で中身の親水性繊維が抜けでないバリアー性がある材料であればよい。被覆シート４ａとして、例えば、織布、不織布、有孔プラスチックシート等を例示できる。この織布又は不織布の素材としては、天然繊維、化学繊維のいずれもよい。天然繊維としては、粉砕パルプ、コットン等のセルロースを例示できる。化学繊維としては、レーヨン、フィブリルレーヨン等の再生セルロース、アセテート、トリアセテート等の半合成セルロース、熱可塑性疎水性化学繊維、もしくは親水化処理を施した熱可塑性疎水性化学繊維を例示できる。
【００４８】
前記熱可塑性疎水性化学繊維としては、ポリエチレン（ＰＥ）、ポリプロピレン（ＰＰ）、ポリエチレンテレフタレート（ＰＥＴ）等の単繊維、ＰＥとＰＰとをグラフト重合してなる繊維や芯鞘構造等の複合繊維を例示できる。
【００４９】
不織布は、乾式（カード法、スパンボンド法、メルトブローン法、エアレイド法等）や湿式等のいずれか、又はこれらのうち複数の方法を組み合わせた方法で形成（フォーミング）できる。また、不織布は、サーマルボンディング、ニードルパンチ、ケミカルボンディング等の方法によりボンディングできる。また、不織布として、水流交絡法によりシート状に形成したスパンレースを用いてもよい。
【００５０】
［２．５］変形状態
図５により、生理用ナプキン１及び吸収体４の変形状態について説明する。
生理用ナプキン１は、装着対象の形状に沿うように変形可能である。具体的には、身体における股下部に装着した状態において、生理用ナプキン１は、股下部の形状に沿うように変形する。言い換えると、吸収体４が股下部の形状に沿うように変形するので（図５参照）、生理用ナプキン１は、股下部の形状に沿うように変形する。
【００５１】
図５に示すように、吸収体４は、長手方向Ｙにおいて、表面シート２側の面を内側にして、弓なり状（曲面状）に変形する。また、幅方向Ｘにおいては、前端部４０Ｆ側は平面状であり、長手方向Ｙにおける中央から後端部４０Ｒにかけては、幅方向Ｘにおける中央部が表面シート２側に突出するように変形する。以下に、生理用ナプキン１が装着された状態における吸収体４の変形状態について、更に説明する。
【００５２】
まず、吸収体４における前端部４０Ｆ側が、前折曲部１０、１０それぞれを折れ起点として表面シート２側に立ち上がるように折れ曲がる。また、吸収体４における後端部４０Ｒ側は、後折曲部１１、１１それぞれを折れ起点として表面シート２側に立ち上がるように折れ曲がる。
【００５３】
折れ起点としての前折曲部１０、１０と後折曲部１１、１１との間に形成される第２領域２０における裏面シート２側の面は、長手方向Ｙにおいては平面状又は緩やかな曲面状に変形されると共に、幅方向Ｘにおいては幅方向Ｘの両端同士の距離が短くなるように変形される。具体的には、生理用ナプキン１における長手方向Ｙの中央部に対して幅方向Ｘの両外側から大腿部による力Ｆ１、Ｆ１が加えられることで、吸収体４の幅方向Ｘにおける両側同士の距離が短くなるように変形される。このように吸収体４の幅方向Ｘにおける両側同士の距離が短くなるように変形されることで、第２領域２０は、表面シート２側（肌当接面側）に突出（隆起）するように変形する。
【００５４】
ここで、第２領域２０は、非装着状態においても表面シート２側（肌当接面側）に隆起しているので、そもそも身体の凹部や溝部に好適に当接するが、上述のように表面シート２側（肌当接面側）に突出するように変形することで、より好適に身体の凹部や溝部に当接する。つまり、装着状態において、生理用ナプキン１は、身体の凹部や溝部に好適に当接する。具体的には、装着状態において、生理用ナプキン１は、股下部における膣口や排泄部等に好適に当接する。
【００５５】
次いで、吸収体４における第１折曲部１２、１２から後端部４０Ｒまでが、第１折曲部１２、１２それぞれを折れ起点として裏面シート３側（非肌当接面側）に折れ曲がるように変形する。これにより、後折曲部１１、１１と第１折曲部１２、１２との間に形成される第１領域２１は、表面シート２側（肌当接面側）に隆起（突出）するように変形する。
【００５６】
また、隆起した第１領域２１は、該第１領域２１に形成される第２折曲部１３が折れ起点となるので、第２折曲部１３の位置が表面シート２側（肌当接面側）に突出した形状となる。第１領域２１は、膣口から肛門までの凹形状に沿うように隆起する。つまり、装着状態において、生理用ナプキン１は、股下部における膣口から肛門までの溝部や凹部に好適に当接して配置される。
【００５７】
また、吸収体４における後端部４０Ｒ側の領域は、第３折曲部１４、１４を折れ起点として幅方向Ｘの両外側が裏面シート３側（非肌当接面側）に突出するように変形する。つまり、吸収体４における後端部４０Ｒ側の領域は、幅方向Ｘの中央部が表面シート２側（肌当接面側）に突出するように変形する。このように変形することで、第３折曲部１４、１４同士の間の領域は、身体における溝部に沿うように配置される。つまり、装着状態において、生理用ナプキン１は、身体の溝部に沿うように配置される。ここで、第３折曲部１４、１４は、幅方向Ｘの中央部が身体側に突出した変形状態を維持するよう機能する。
【００５８】
また、吸収体４における第４折曲部１５、１５から前端部４０Ｆまでの領域は、第４折曲部１５、１５を折れ起点として表面シート２側に折れ曲がるようにして変形する。これにより、吸収体４は股下部の形状に沿うように変形する。つまり、生理用ナプキン１は、股下部の形状に沿うように変形する。
【００５９】
上述のように、生理用ナプキン１が装着された状態において、吸収体４は、身体の形状に沿うように変形する。つまり、装着状態において、生理用ナプキン１は、身体の形状に沿うように変形する。
【００６０】
［２．６］製造方法
図６及び図７により、吸収体４の製造方法について説明する。主にコア部４ｂの製造方法について説明する。
図６に示すように、コア部４ｂを形成する製造装置９００は、円筒状のサクションドラム９２０と、サクションドラム９２０の外周面に配置される複数のメッシュ状の容器２００と、メッシュ状の容器２００に積層される吸収材料であるパルプやポリマー等を掻き取るスカッフィンロール９３０と、ロール状のパルプシート９０１から繰り出されたパルプシートを開繊する開繊部９１０と、ロール状のティッシュ９０３から繰り出されるティッシュ９０４及びメッシュ状の容器２００により形成されたコア部４ｂを所定方向に搬送するコンベア９５０と、を備える。
【００６１】
図７に示すように、コア部４ｂを所定形状に形成するメッシュ状の容器２００は、外周を所定高さの壁部により囲まれると共に、この壁部に囲まれた平面状の底部を有する。この底部には、壁部が形成される側に突出する複数の凸状部２１０と、壁部が形成される側と反対側に窪むように形成される凹部２２０とが形成される。
【００６２】
図７に示すように、複数の凸状部２１０それぞれは、折曲部に対応する位置に形成される。メッシュ状の容器２００に吸収材料を積層した場合において、凸状部２１０には吸収材料が積層されないので、凸状部２１０に対応する位置に折曲部それぞれが形成される。ここで、凸状部２１０の形状は、平面方向における断面が長方形であり、平面方向に垂直な方向における断面がテーパーのある台形である。
【００６３】
また、図７に示すように、凹部２２０は、第２領域に対応する位置に形成される。凹部２２０には吸収材料が積層されるので、表面シート２側（図７における下面側）に隆起（突出）した第２領域が形成される。
【００６４】
図６により、吸収体４の製造方法について説明する。まず、ロール状のパルプシート９０１から繰り出されたパルプシールが、開繊部９１０において開繊処理される。開繊された開繊パルプ９０２は、散布されるようにしてサクションドラム９２０の外周面上に積層される。このサクションドラム９２０の外周面にはメッシュ状の容器２００が配置されているので、開繊パルプ９０２は、メッシュ状の容器２００に積層される。具体的には、メッシュ状の容器２００における凸状部２１０には開繊パルプ９０２が積層されず、他の領域には開繊パルプ９０２が積層される。
【００６５】
次いで、サクションドラム９２０が回転して、メッシュ状の容器２００が図６における下方側に移動される。そして、凸状部２１０の頭頂部に積層された開繊パルプ９０２や、メッシュ状の容器２００に過剰に積層された開繊パルプ９０２は、スカッフィンロール９３０により掻き取られる。これにより、コア部４ｂにおけるメッシュ状の容器２００における底面と反対側の面が平面状に形成されると共に、開繊パルプ９０２が実質的に存在しない折曲部が形成される。
【００６６】
続けて、メッシュ状の容器２００が図６における下方へ更に移動されることで、所定形状に形成されたコア部４ｂが、ロール状のティッシュ９０３から繰り出されたティッシュ９０４上に転写（配置）される。ここで、凸状部２１０が、平面方向に垂直な方向における断面がテーパーのある台形となる形状であるので、コア部４ｂをティッシュ９０４上に転写（配置）する際、型崩れすることなくスムーズに転写（配置）させることができる。また、このコア部４ｂには、所定の段階でポリマーが配合される。
【００６７】
コア部４ｂが転写（配置）されたティッシュ９０３は、コンベア９５０により、所定方向に搬送される。そして、図示しない装置において、ティッシュ９０３が所定形状に裁断されると共に、コア４ｂを被覆するように変形される。このようにして、吸収体４が製造される。
【００６８】
ここで、メッシュ状の容器２００における凸状部２１０の全部又は一部は、通気性を有しないことが好ましい。例えば、凸状部２１０におけるメッシュの目を樹脂等で埋めることや、凸状部２１０の表面にテープや金属プレート等を配置することや、また、凸状部２１０をゴム等の気体を透過させない材料で構成することが好ましい。
【００６９】
凸状部２１０の寸法は、長手方向における長さが５から５０ｍｍであり、好ましくは１０から３０ｍｍであり、短手方向における長さ（幅）が１から１０ｍｍであり、好ましくは２から５ｍｍである。凸状部２１０の高さは、吸収体４の目付によって決定すればよく、パルプやポリマーの目付が５０から２０００ｇ／ｍ２の範囲であれば、凸状部２１０の高さは１から２０ｍｍ、パルプやポリマーの目付が５０から８００ｇ／ｍ２の範囲であれば、凸状部２１０の高さは１から５ｍｍを例示できる。
【００７０】
［２．７］効果
本実施形態の生理用ナプキン１によれば、装着状態において身体の形状に沿うように変形して、膣口や肛門等の好適に当接して配置される。これにより、生理用ナプキン１は、経血等の排泄物を好適に吸収する。
【００７１】
また、本実施形態の生理用ナプキン１によれば、第２領域２０が身体側に隆起した形状であるので、生理用ナプキン１の表面シート２における第２領域２０に対応する位置が膣口等の排泄部に好適に当接される。これにより、生理用ナプキン１は、膣口からの経血等を好適に吸収する。また、装着状態において第２領域２０が表面シート２側である身体側に隆起するよう変形するので、生理用ナプキン１の表面シート２における第２領域２０に対応する位置が膣口により好適に当接される。これにより、生理用ナプキン１は、膣口からの経血をより好適に吸収する。
【００７２】
また、本実施形態の生理用ナプキン１によれば、装着状態において第１領域が表面シート２側である身体側に隆起するよう変形するので、生理用ナプキン１の表面シート２における第１領域に対応する位置が膣口から肛門までの溝部に沿うように当接される。これより、膣口からの経血が身体の肌当接面を伝わって漏れ出ることを抑制できる。
【００７３】
また、本実施形態の生理用ナプキン１によれば、第１領域２１から後端部２０Ｒまでの領域における幅方向Ｘの中央部が、表面シート２側である身体側に突出するように変形する。これにより、生理用ナプキン１の後端部４０Ｒ側の領域が身体の溝部に当接するように変形するので、経血等が臀部における溝部を伝わって漏れ出ることを抑制できる。
【００７４】
また、本実施形態の生理用ナプキン１によれば、膣口等に当接する領域である第２領域２０には折曲部が形成されていないので、第１領域２１において予定しない変形が生じにくい。これにより、生理用ナプキン１は、予定しない変形により生じる経血等の漏れを抑制できる。
【００７５】
［３］他の実施形態及び構成物
［３．１］他の実施形態
以上、本発明の好適な実施形態について説明したが、本発明は上述した実施形態に限定されることなく種々の形態で実施することができる。例えば、生理用ナプキン１が装着対象である身体の股間形状に沿って変形しやすくするため、股間形状を模写したエンボスパターンや圧搾溝（いわゆるヒンジ、防漏溝）を形成してもよい。ここで、圧搾溝やエンボスパターンは、表面シート２と吸収体４に形成してもよく、吸収体４のみに形成してもよい。
【００７６】
ここで、着用中の型崩れやヨレを抑制するためや、厚みを調整するために吸収体４にエンボスパターンを形成してもよい。
【００７７】
吸収体４へのエンボスパターンの形成は、パターニングされたエンボスロールとフラットロールとの間に通すことで形成できる。このエンボスロールのパターンは、格子状、ドット状、波状等から選ばれる。ここで、折曲部にエンボスが入り込んでしまって被覆シートが破損してしまうことを防止するためには、格子状のパターンが好ましい。
【００７８】
また、経血等の液体における横漏れを抑制するために、生理用ナプキン１の幅方向Ｘの両側に弾性材等のエラスティック材を用いたギャザーを設けてもよい。
【００７９】
また、本実施形態において、凸状部２１０が形成されたメッシュ状の容器２００を用いて、実質的に吸収材料が配置されない折曲部を形成しているが、これに限定されず、例えば、均一な目付と厚みを有するコア部を成形した後、該コア部を所定のパターニングで部分的に切り抜くことで、折曲部を形成することができる。具体的には、所定幅を有する所定形状のスリット刃が所定のパターンで配置されたロールと、フラットロールとの間に吸収体を通すことで、吸収材料が存在しない折曲部を形成できる。
【００８０】
また、本実施形態において、凸状部２１０は平面方向における断面形状が長方形であるが、これに限定されず、例えば、テーパーがついている台形、ひし形、三角形等であってもよい。
【００８１】
また、本実施形態において、吸収性物品として生理用ナプキン１の説明をしているが、これに限定されず、吸収性物品として、例えば、生理用ナプキンの補助パッド、ライナー、幼児用の使い捨ておむつ、大人用使い捨ておむつ、尿漏れパッド等を例示できる。
【００８２】
［３．２］構成物
表面シート２は、例えば、織布、不織布、有孔プラスチックシート等の液体を透過する構造のシート状材料を用いることができる。織布又は不織布の素材としては、天然繊維、化学繊維のいずれでもよい。天然繊維としては、粉砕パルプ、コットン等のセルロースを例示できる。化学繊維としては、レーヨン、フィブリルレーヨン等の再生セルロース、アセテート、トリアセテート等の半合成セルロース、熱可塑性疎水性化学繊維、もしくは親水化処理を施した熱可塑性疎水性化学繊維を例示できる。
【００８３】
前記熱可塑性疎水性化学繊維としては、ポリエチレン（ＰＥ）、ポリプロピレン（ＰＰ）、ポリエチレンテレフタレート（ＰＥＴ）等の単繊維、ＰＥとＰＰとをグラフト重合してなる繊維や芯鞘構造等の複合繊維を例示できる。
【００８４】
不織布は、乾式（カード法、スパンボンド法、メルトブローン法、エアレイド法等）や湿式等のいずれか、又はこれらのうち複数の方法を組み合わせた方法で形成（フォーミング）できる。また、不織布は、サーマルボンディング、ニードルパンチ、ケミカルボンディング等の方法によりボンディングできる。また、不織布として、水流交絡法によりシート状に形成したスパンレースを用いてもよい。
【００８５】
有孔プラスチックシートとしては、ＰＥ、ＰＰ、ＰＥＴ等の熱可塑性樹脂製有孔シートや、多孔質の発泡材等を用いることができる。また、有孔プラスチックシートには、必要に応じて酸化チタンや炭酸カルシウム等からなる無機フィラーを０．５から１０質量％の範囲で混入して白濁化させた有孔プラスチックシートを用いてもよい。また、熱可塑性樹脂からなるフィルムをパーフォレーション、ヒートエンボス加工又は機械加工等により開孔処理した有孔フィルムを使用してもよい。この有孔フィルムは、不織布と貼り合わせて複合シートとして使用してもよい。
【００８６】
裏面シート３は、ＰＥやＰＰ等を主体としたフィルム、通気性の樹脂フィルム、スパンボンド又はスパンレース等の不織布に通気性の樹脂フィルムが接合されたものや、ＳＭＳを複数積層したもの等を例示できる。着用感を損なわない柔軟性を考慮すると、例えば、低密度ポリエチレン（ＬＤＰＥ）樹脂を主体とした目付１５から３０ｇ／ｍ２の範囲から得られるフィルムが好ましい。
【００８７】
そして、表面シート２、吸収体４、裏面シート３は、それぞれの層間分離を防止するためにも、これらが互いに接合されていることが好ましい。また、吸収体４の周縁部において表面シート２と裏面シート３とが接合されることが好ましい。表面シート２と裏面シート３とにより吸収体４が内封されることが好ましい。そして、接合としては、ヒートエンボス加工、超音波加工、ホットメルト型接着剤による接合等又はこれらを組み合わせた方法により接合できる。
【図面の簡単な説明】
【００８８】
【図１】本発明の実施形態における生理用ナプキン１の平面図を示す。
【図２】生理用ナプキン１の部分断面図を示す。
【図３】生理用ナプキン１を構成する吸収体４の平面図を示す。
【図４】吸収体４における断面図を示す。
【図５】生理用ナプキン１が装着された状態における吸収体４の変形状態を説明する斜視図を示す。
【図６】吸収体４を製造する製造装置を説明する図を示す。
【図７】製造装置を構成するメッシュ状の容器２００における構造を説明する斜視図を示す。
【符号の説明】
【００８９】
１      生理用ナプキン１
２      表面シート
３      裏面シート
４      吸収体
１０    前折曲部
１１    後折曲線
１２    第１折曲部
１３    第２折曲部
１４    第３折曲部
２０    第２領域
２１    第１領域
４０Ｆ  前端部
４０Ｒ  後端部
【図１】
2008229214.tif 000003
【図２】
2008229214.tif 000004
【図３】
2008229214.tif 000005
【図４】
2008229214.tif 000006
【図５】
2008229214.tif 000007
【図６】
2008229214.tif 000008
【図７】
2008229214.tif 000009